(57)【特許請求の範囲】
【請求項１】
ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、
前記可動ガイド部の移動を制限して、前記３つ以上の光学素子のうち前記光路に挿入可能な光学素子の種類を限定する制限機構を備え、
前記制限機構は、制限ピンを有し前記可動ガイド部と直交する方向へ移動可能な操作部と、前記ハウジングに設けられ前記制限ピンの移動範囲を制限する制限部材とを備えることを特徴とする光学素子切換機構。
【請求項２】
ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、
前記可動ガイド部の移動を制限して、前記３つ以上の光学素子のうち前記光路に挿入可能な光学素子の種類を限定する制限機構を備え、
前記制限機構は、制限ピンを有し前記可動ガイド部と直交する方向へ移動可能な操作部と、前記可動ガイド部に固定され前記制限ピンにより移動範囲が制限される制限部材とを備えることを特徴とする光学素子切換機構。
【請求項３】
ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、
前記可動ガイド部の移動を制限して、前記３つ以上の光学素子のうち前記光路に挿入可能な光学素子の種類を限定する制限機構を備え、
前記制限機構は、制限ピンを有し前記可動ガイド部と直交する方向へ移動可能な操作部と、前記ハウジングに設けられ、前記３つ以上の光学素子のうち少なくとも１つの光学素子を前記光路上に保持する切欠が形成された制限部材とを備えることを特徴とする光学素子切換機構。
【請求項４】
ハウジングに設けられた軸と、この軸に対して回転可能に設けられ、３つ以上の光学素子が取り付けられたターレットとを備え、前記ターレットを回転させて、前記３つ以上の光学素子のうちのいずれかの光学素子を光路に選択的に挿入し得るようにした光学素子切換機構において、
前記ターレットの回転を制限して前記３つ以上の光学素子のうち前記光路に挿入可能な光学素子の種類を限定する制限機構を備え、
前記制限機構は、制限ピンを有し前記ターレットの直径方向へ移動可能な操作部と、前記ターレットに形成され、前記制限ピンの移動により回転範囲を制限する切欠とを備えることを特徴とする光学素子切換機構。
【請求項５】
ハウジングに設けられた軸と、この軸に対して回転可能に設けられ、３つ以上の光学素子が取り付けられたターレットとを備え、前記ターレットを回転させて、前記３つ以上の光学素子のうちのいずれかの光学素子を光路に選択的に挿入し得るようにした光学素子切換機構において、
前記ターレットの回転を制限して前記３つ以上の光学素子のうち前記光路に挿入可能な光学素子の種類を限定する制限機構を備え、
前記制限機構は、制限ピンを有し前記ターレットの直径方向へ移動可能な操作部と、前記ターレットに形成され、前記制限ピンの移動により前記３つ以上の光学素子のうち少なくとも１つの光学素子を前記光路上に保持する切欠とを備えることを特徴とする光学素子切換機構。
【発明の詳細な説明】
【０００１】
【発明の属する技術分野】
この発明は顕微鏡に用いられる光学素子切換機構に関する。
【０００２】
【従来の技術】
光学素子切換機構は、ハウジングに設けられた固定ガイド部と、この固定ガイド部に対して移動可能に設けられ、複数の光学素子を取り付けた可動ガイド部とを備えている。この光学素子切換機構によれば、可動ガイド部を固定ガイド部に沿って移動させ、複数の光学素子のうちの任意の光学素子を光路に挿入することができる。
【０００３】
【発明が解決しようとする課題】
ところで、従来顕微鏡を用いた検査方法は２つ程度の光学素子を用いて行われていたが、近年次々と新しい検査方法が開発され、この開発に伴って使用する光学素子が３つ以上となる傾向にある。
【０００４】
更に、これらがルーチン的な検査の分野でも使用されるようになった。その結果、多くの光学素子の中から所望の光学素子を素速く選択する必要が生じ、また間違った光学素子を選択してしまうという問題があった。
【０００５】
この発明はこのような事情に鑑みてなされたもので、その課題は光学素子の切換えを素速く、しかも間違いなく行うことができる光学素子切換機構を提供することである。
【０００８】
【課題を解決するための手段】
上記課題を解決するため請求項１に記載の発明の光学素子切換機構は、ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、前記可動ガイド部の移動を制限して、前記３つ以上の光学素子のうち前記光路に挿入可能な光学素子の種類を限定する制限機構を備え、前記制限機構は、制限ピンを有し前記可動ガイド部と直交する方向へ移動可能な操作部と、前記ハウジングに設けられ前記制限ピンの移動範囲を制限する制限部材とを備えることを特徴とする。
【０００９】
制限機構によって可動ガイド部の移動範囲を制限できるので、可動ガイド部に取り付けた複数の光学素子の中から必要とする光学素子だけを選択することができる。操作部を引出すことで可動ガイド部の移動範囲が制限され、移動範囲と対応する位置の光学素子だけが光路に挿入される。
【００１０】
請求項２に記載の発明の光学素子切換機構は、ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、前記可動ガイド部の移動を制限して、前記３つ以上の光学素子のうち前記光路に挿入可能な光学素子の種類を限定する制限機構を備え、前記制限機構は、制限ピンを有し前記可動ガイド部と直交する方向へ移動可能な操作部と、前記可動ガイド部に固定され前記制限ピンにより移動範囲が制限される制限部材とを備えることを特徴とする。
【００１１】
制限機構によって可動ガイド部の移動範囲を制限できるので、可動ガイド部に取り付けた複数の光学素子の中から必要とする光学素子だけを選択することができる。操作部を押し込むことで可動ガイド部の移動範囲が制限され、移動範囲と対応する位置の光学素子だけが光路に挿入される。
【００１２】
請求項３に記載の発明の光学素子切換機構は、ハウジングに設けられた固定ガイド部と、この固定ガイド部に対して移動可能に設けられ、３つ以上の光学素子が取り付けられた可動ガイド部とを備え、前記可動ガイド部を移動させて、前記３つ以上の光学素子のうちのいずれかの光学素子を光路に選択的に挿入し得るようにした光学素子切換機構において、前記可動ガイド部の移動を制限して、前記３つ以上の光学素子のうち前記光路に挿入可能な光学素子の種類を限定する制限機構を備え、前記制限機構は、制限ピンを有し前記可動ガイド部と直交する方向へ移動可能な操作部と、前記ハウジングに設けられ、前記３つ以上の光学素子のうち少なくとも１つの光学素子を前記光路上に保持する切欠が形成された制限部材とを備えることを特徴とする。
【００１３】
制限機構によって可動ガイド部の移動範囲を制限できるので、可動ガイド部に取り付けた複数の光学素子の中から必要とする光学素子だけを選択することができる。操作部を操作して制限ピンを切欠に係合させ、可動ガイド部の移動を阻止することができるので、光学素子が光路上に保持され、光学素子の選択の誤りが未然に防止される。
【００１６】
請求項４に記載の発明の光学素子切換機構は、ハウジングに設けられた軸と、この軸に対して回転可能に設けられ、３つ以上の光学素子が取り付けられたターレットとを備え、前記ターレットを回転させて、前記３つ以上の光学素子のうちのいずれかの光学素子を光路に選択的に挿入し得るようにした光学素子切換機構において、前記ターレットの回転を制限して前記３つ以上の光学素子のうち前記光路に挿入可能な光学素子の種類を限定する制限機構を備え、前記制限機構は、制限ピンを有し前記ターレットの直径方向に移動可能な操作部と、前記ターレットに形成され、前記制限ピンの移動により回転範囲を制限する切欠とを備えることを特徴とする。
【００１７】
制限機構によってターレットの回転範囲を制限できるので、ターレットに取り付けた複数の光学素子の中から必要とする光学素子だけを選択することができる。操作部を押し込むことで円盤状の可動ガイド部の回転範囲が制限され、回転範囲と対応する位置の光学素子だけが光路に挿入される。
【００１８】
請求項５に記載の発明の光学素子切換機構は、ハウジングに設けられた軸と、この軸に対して回転可能に設けられ、３つ以上の光学素子が取り付けられたターレットとを備え、前記ターレットを回転させて、前記３つ以上の光学素子のうちのいずれかの光学素子を光路に選択的に挿入し得るようにした光学素子切換機構において、前記ターレットの回転を制限して前記３つ以上の光学素子のうち前記光路に挿入可能な光学素子の種類を限定する制限機構を備え、前記制限機構は、制限ピンを有し前記ターレットの直径方向に移動可能な操作部と、前記ターレットに形成され、前記制限ピンの移動により前記３つ以上の光学素子のうち少なくとも１つの光学素子を前記光路上に保持する切欠とを備えることを特徴とする。
【００１９】
制限機構によってターレットの回転範囲を制限できるので、ターレットに取り付けた複数の光学素子の中から必要とする光学素子だけを選択することができる。操作部を押し込むことでターレットの回転を阻止することができるので、光学素子が光路上に保持され、光学素子の選択の誤りが未然に防止される。
【００２０】
【発明の実施の形態】
以下、この発明の実施の形態を図面に基づいて説明する。
【００２１】
図１はこの発明の第１実施形態に係る光学素子切換機構の横断面図、図２は図１のII−II矢視断面図である。
【００２２】
光学素子切換機構は、ハウジング１０と、固定ガイド部２０と、可動ガイド部３０と、操作レバー（操作部）４０と、制限ピン４１と、制限プレート（制限部材）５０とを備える。
【００２３】
ハウジング１０は上側ハウジング１１と下側ハウジング１２とからなる。上側ハウジング１１と下側ハウジング１２とから形成される閉空間には、固定ガイド部２０、可動ガイド部３０、操作レバー４０、制限ピン４１及び制限プレート５０が収容されている。
【００２４】
また、上側ハウジング１１及び下側ハウジング１２には、図２の上下方向に延びる光路Ｌ１上に位置する開口１１ａ，１２ａがそれぞれ形成されている。
【００２５】
固定ガイド部２０は下側ハウジング１２にビス１３によって固着されている。固定ガイド部２０の上部には可動ガイド部３０方向へ延びる貫通孔２１が形成されている。貫通孔２１の一端は固定ガイド部２０の側面にビス２３で固着された係止板２２によって封止されている。
【００２６】
また、貫通孔２１の他端には鋼球２４が装着されている。この鋼球２４は貫通孔２１に収容されたバネ２５によって可動ガイド部３０方向へ付勢され、後述する上側可動ガイド部３１の側面と所定の圧力で当接している。
【００２７】
可動ガイド部３０と固定ガイド部２０とは複数のボール７０を転動可能に支持するボールレース機構を介して接続され、可動ガイド部３０は固定ガイド部２０に対して移動可能となっている。また、この可動ガイド部３０の固定ガイド部２０と反対側の側面にはミラーあるいはレンズ等の光学素子６１〜６３が取り付けられている。
【００２８】
この可動ガイド部３０は上側可動ガイド部３１と下側可動ガイド部３２とからなり、下側可動ガイド部３２はビス３３によって上側可動ガイド部３１に固着されている。
【００２９】
上側可動ガイド部３１の側面には鋼球２４と係合可能なＶ溝３４〜３６が光学素子６１〜６３と対応する位置に形成されている。
【００３０】
また、上側可動ガイド部３１の上面には小穴３７が光路Ｌ１と平行に形成され、この小穴３７にはバネ３８と鋼球３９とが装着され、バネ３８の弾性力によって鋼球３９が操作レバー４０の方向へ付勢されている。
【００３１】
操作レバー４０の一端は上側ハウジング１１の側面に形成したスリット１１ｂを貫通してハウジング１０の外部へ延びており、この一端には操作つまみ４２がビス４３によって取り付けられている。
【００３２】
操作レバー４０の他端は固定部材４４によって矢印ａに示す方向に移動可能に支持されている。なお、固定部材４４はビス４５ａ，４５ｂによって可動ガイド部３０に取り付けられている。
【００３３】
また、操作レバー４０の他端には鋼球３９の直径より若干小さい直径の小孔４６，４７が操作レバー４０の中心軸である軸線Ｌ２上に所定の間隔をおいて形成されている。したがって、操作レバー４０を軸線Ｌ２に沿って移動させたとき、鋼球３９を小孔４６又は小孔４７に嵌合させることができるので、操作レバー４０は２つの位置で位置決めを行うことができる。
【００３４】
制限ピン４１は操作レバー４０の中間部に設けられ、軸線Ｌ２上に位置している。なお、この制限ピン４１と小孔４６、４７との位置関係は図１に示すとおりであり、制限ピン４１は操作レバー４０を挿脱することによって点線で示す位置と実線で示す位置との間を移動する。
【００３５】
制限プレート５０は上側ハウジング１１の突起部１１ｅにビス５１によって固着されている。制限プレート５０には、３つの光学素子６１〜６３の中心間距離に相当する長手方向の長さを有する、矩形の切欠５２が形成されている。
【００３６】
更にこの切欠５２の一部には２つの光学素子６１，６２の中心間の距離に相当する長手方向の長さを有する、矩形の切欠５３が形成されている。
【００３７】
なお、操作レバー４０、操作つまみ４２、制限ピン４１、制限プレート５０、固定部材４４、鋼球３９及びバネ３８から制限機構が構成されている。また、この実施形態では制限プレート５０はハウジング１１にビス５１によって固定されているが、制限プレート５０はハウジング１１と一体に構成するようにしてもよい。
【００３８】
また、小孔４６、４７や制限ピン４１は、軸線Ｌ２からずれた位置に配置されていても良い。この場合、可動ガイド部３０に対する操作レバー４０の取付け位置、又は、上側ハウジング１１に対する制限プレート５０の取付け位置をずらせば良い。
【００３９】
上記構成の光学素子切換機構は次のとおり動作する。
【００４０】
操作レバー４０を押し込んで鋼球３９と小孔４６とを嵌合させたとき、制限ピン４１は点線で示す位置に至るので、可動ガイド部３０を切欠５２内で移動させることができる。
【００４１】
したがって、操作つまみ４２を操作することで可動ガイド部３０の何れのＶ溝３４〜３５をも鋼球２４と係合させることができ、３つの光学素子６１〜６３の何れをも光路Ｌ１上に配置することができる。
【００４２】
一方、操作レバー４０を図１に示すように引き出して鋼球３９と小孔４７とを嵌合させたとき、制限ピン４１は実線で示す位置に移動するので、可動ガイド部３０を切欠５３内だけで移動させることができる。
【００４３】
したがって、操作つまみ４２を操作することで可動ガイド部３０はＶ溝３５又はＶ溝３６で鋼球２４と係合させることができ、２つの光学素子６２，６３を光路Ｌ１上に配置することができる。
【００４４】
この第１実施形態によれば、例えば２つの光学素子６２，６３だけを頻繁に使用するような処理の場合、操作レバー４０を引き出すことで光路Ｌ１に挿入可能な光学素子を２つの光学素子６２，６３に限定することができるので、素速く目的とする光学素子を選択することができる。
【００４５】
また、使用頻度の少ない光学素子６１を用いる場合には、操作レバー４０を押込んで３つの光学素子６１〜６３の何れをも選択できるようにするので、光学素子の選択の誤りが少なくなる。
【００４６】
図３はこの発明の第２実施形態に係る光学素子切換機構の横断面図、図４は図３のIV−IV矢視断面図であり、第１実施形態と同一部分には同一符号を付してその説明を省略する。
【００４７】
光学素子切換機構は、ハウジング１０と、固定ガイド部２０と、可動ガイド部１３０と、操作スイッチ（操作部）１４０と、制限プレート（制限部材）１５０とを備える。
【００４８】
上側ハウジング１１と下側ハウジング１２とから形成される閉空間には、固定ガイド部２０、可動ガイド部１３０及び制限プレート１５０が収容されている。
【００４９】
可動ガイド部１３０と固定ガイド部２０とは複数のボール７０を転動可能に支持するボールレース機構を介して接続されている。可動ガイド部１３０にはハウジング１０を貫通してハウジング１０外へ延びる操作バー１４２が設けられており、この操作バー１４２を操作することによって可動ガイド部１３０を移動させることができる。また、この可動ガイド部１３０には光路Ｌ１上に配置されるミラーあるいはレンズ等の光学素子６１〜６３が取り付けられている。
【００５０】
この可動ガイド部１３０は上側可動ガイド部１３１と下側可動ガイド部１３２とからなり、下側可動ガイド部１３２はビス１３３によって上側可動ガイド部１３１に固着されている。
【００５１】
上側可動ガイド部１３１の側面には鋼球２４と係合可能なＶ溝１３４〜１３６が光学素子６１〜６３と対応する位置に形成されている。
【００５２】
また、上側可動ガイド部１３１の上面には雌ねじ１３７が形成されている。
【００５３】
制限プレート１５０の一端は上側可動ガイド部１３０の上面にビス１５１によって固着されている。制限プレート１５０の他端には、３つの光学素子６１〜６３の中心間距離に相当する長手方向長さを有する、矩形の切欠１５２が形成されている。
【００５４】
更にこの切欠１５２の一部には２つの光学素子６１，６２の中心間の距離に相当する長手方向の長さを有する、矩形の切欠１５３が形成されている。
【００５５】
操作スイッチ１４０は、上側ハウジング１１の上面を軸Ｌ３方向に摺動可能な水平部１４３と、水平部１４３の下面から延びる垂下部（制限ピン）１４４とからなる。ここで、軸Ｌ３とは、操作スイッチ１４０の中心軸のことである。
【００５６】
水平部１４３の上面には摺動方向と直交する方向に平目のローレット目が形成され、水平部１４３の下面には所定間隔をおいて２つのＶ溝１４６，１４７が軸Ｌ３上に形成されている。
【００５７】
垂下部１４４は、上側ハウジング１１の上面に形成された、Ｖ溝１４６とＶ溝１４７との間隔に相当する長さを有する溝１１ｃを介して、ハウジング１０内に挿入されている。垂下部１４４の先端部１４４ａは制限プレート１５０と係合可能な位置まで達している。
【００５８】
また、この垂下部１４４の下部に雄ねじ１４４ｂが形成されており、この雄ねじ１４４ｂに雌ねじ１４１が螺合され、操作スイッチ１４０がハウジング１０から外れないようになっている。
【００５９】
上側ハウジング１１の上面には軸Ｌ３上に小孔１１ｄが形成され、この小孔１１ｄにバネ１４８と鋼球１４９とが装着され、バネ１４８の弾性力で鋼球１４９が操作スイッチ１４０の下面に押し付けられている。
【００６０】
したがって、操作スイッチ１４０を軸線Ｌ３上で矢印ｂで示すように移動させたとき、鋼球１４９をＶ溝１４６又はＶ溝１４７に係合させることができるので、操作スイッチ１４０は２つの位置で位置決めを行うことができ、垂下部１４４を切欠１５２と切欠１５３とに位置させることができる。
【００６１】
なお、操作スイッチ１４０、制限プレート１５０、鋼球１４９及びバネ１４８から制限機構が構成される。また、この実施形態では制限プレート１５０は可動ガイド部１３０にビス１５１によって固定されているが、制限プレート１５０は可動ガイド部１３０と一体に構成するようにしてもよい。
【００６２】
上記構成の光学素子切換機構は次のとおり動作する。
【００６３】
操作スイッチ１４０を押し込んだとき、垂下部１４４は点線で示す位置に至るので、操作バー１４２によって可動ガイド部１３０を切欠１５３内で移動させることができる。
【００６４】
したがって、可動ガイド部１３０をＶ溝１３４〜１３６で鋼球２４と係合させることができ、２つの光学素子６１，６２を光路Ｌ１上に配置させることができる。
【００６５】
一方、操作スイッチ１４０を引き出したとき、垂下部１４４は実線で示す位置に移動するので、操作バー１４２によって可動ガイド部１３０を切欠１５２内で移動させることができる。
【００６６】
したがって、３つの光学素子６１〜６３の何れをも光路Ｌ１上に配置させることができ、可動ガイド部１３０は何れのＶ溝１３４〜１３６をも鋼球２４と係合させることができる。
【００６７】
この第２実施形態によれば、第１実施形態と同様の効果を発揮することができる。
【００６８】
図５はこの発明の第３実施形態に係る光学素子切換機構の横断面図、図６は図５のVI−VI矢視断面図であり、第２実施形態と同一部分には同一符号を付してその説明を省略する。
【００６９】
光学素子切換機構は、ハウジング２１０と、板バネ（固定ガイド部）２２０と、回転ターレット（ターレット）２３０と、操作スイッチ（操作部）１４０とを備える。
【００７０】
ハウジング２１０は上側ハウジング２１１と下側ハウジング２１２とからなり、平面視はほぼ円形である。上側ハウジング２１１と下側ハウジング２１２とから形成される閉空間には、板バネ２２０と回転ターレット２３０とが収容されている。
【００７１】
回転ターレット２３０は円盤部２３１と、この円盤部２３１の中心部から延びる円筒部２３２とからなる。円筒部２３２は上側ハウジング２１１の中心部に螺着された中心軸２１５に回転可能に取り付けられている。
【００７２】
円盤部２３１の下面には４つの雄あり２３４が９０゜の間隔をもってビス２３５によって固着されている。各雄あり２３４にはそれぞれあり溝を有する光学素子２６１〜２６４が取り付けられている。
【００７３】
なお、円盤部２３１には光学素子２６１〜２６４に対向して開口２３１ａが形成され、光学素子２６１〜２６４を取り付けたとき、開口２１１ａ、開口２３１ａ、及び開口２１２ａによって光路Ｌ１が形成されるようになっている。
【００７４】
円盤部２３１の外周面には光学素子２６１〜２６４に対応させて９０゜の間隔をもって鋼球２３６が取り付けられている。
【００７５】
円盤部２３１の上面には環状溝２３７が形成されている。更に、この環状溝２３７の内周側には、光学素子２６１、２６３に対応してそれぞれ９０゜の範囲に亘って環状溝２３７と同じ深さの切欠２３８，２３９が形成されている。
【００７６】
板バネ２２０は断面Ｌ形状をなし、水平部２２１が上側ハウジング２１１にビス２２２によって固着され、垂直部２２３が光路Ｌ１に入った光学素子（図６では光学素子２６１）に対応する鋼球２３６と係合する。この構成によって光学素子２６１〜２６４を光路Ｌ１上に確実に挿入させることができる。
【００７７】
操作スイッチ１４０の垂下部１４４の先端部１４４ａは円盤部２３１の環状溝２３７内にまで達している。
【００７８】
操作スイッチ１４０を中心軸２１５を通る軸線Ｌ４上で矢印ｃで示すように移動させたとき、鋼球１４９をＶ溝１４６又はＶ溝１４７に係合させることができるので、操作スイッチ１４０は２つの位置で位置決めを行うことができ、垂下部１４４を環状溝２３７と切欠２３８（２３９）とに位置させることができる。
【００７９】
なお、円盤部２３１、操作スイッチ１４０、鋼球１４９及びバネ１４８から制限機構が構成される。
【００８０】
上記構成の光学素子切換機構の動作を図５を参照して説明する。
【００８１】
操作レバー１４０を押込んだときには、垂下部１４４が点線で示す位置に至るので、垂下部１４４を切欠２３９内で９０゜に亘って移動させることができ、２つの光学素子２６１，２６２を光路Ｌ１上に配置することができる。
【００８２】
一方、操作レバー１４０を引出したときには、垂下部１４４が実線で示す位置に移動するので、垂下部１４４を環状溝２３７の全範囲に亘って移動させることができ、４つの光学素子２６１〜２６４の何れをも光路Ｌ１上に挿入することができる。
【００８３】
この第３実施形態によれば、第１実施形態及び第２実施形態と同様の効果を発揮することができる。また、上記各実施形態よりも少ない部材で制限機構を構成できるので、故障が発生し難いし、動作も確実なものとすることができ、併せて製造コストの低減を図ることができる。
【００８４】
図７はこの発明の第４実施形態に係る光学素子切換機構の横断面図、図８は図７のVIII−VIII矢視断面図であり、第１実施形態と同一部分には同一符号を付してその説明を省略する。
【００８５】
光学素子切換機構は、ハウジング１０と、固定ガイド部２０と、可動ガイド部３０と、操作レバー（操作部）４０と、制限プレート（制限部材）３５０とを備える。
【００８６】
この第４実施形態と第１実施形態とは、制限プレート３５０，５０の平面形状の点で相違する。
【００８７】
制限プレート３５０は上側ハウジング１１の突起部１１ａにビス３５１によって固着されている。制限プレート３５０には３つの光学素子６１〜６３の中心間距離に相当する長手方向長さを有する、矩形の切欠３５２が形成されている。
【００８８】
更に、この切欠３５２の一部には各光学素子６１〜６３の中心間の間隔と同じ間隔をおいて制限ピン４１の直径より若干広い幅を有する矩形の切欠３７１〜３７３が形成されている。
【００８９】
上記構成の光学素子切換機構は次のとおり動作する。
【００９０】
操作レバー４０を押し込んで鋼球３９と小孔４６とを嵌合させたとき、制限ピン４１は点線で示す位置に至るので、可動ガイド部３０を切欠３５２内で移動させることができる。
【００９１】
したがって、可動ガイド部３０を何れのＶ溝３４〜３６でも鋼球２４と嵌合させることができ、３つの光学素子６１〜６３の何れをも光路Ｌ１上に配置することができる。
【００９２】
例えば切欠３７２と制限ピン４１とを一致させ、操作レバー４０を図７に示すように引き出して鋼球３９と小孔４７とを嵌合させたとき、制限ピン４１は点線で示す位置から実線で示す位置に移動するので、制限ピン４１は切欠３７２内に収容される。
【００９３】
したがって、可動ガイド部３０を移動させることができなくなるので、光学素子６２は光路Ｌ１上に保持される。
【００９４】
同様にして、切欠３７１と制限ピン４１とが一致する位置にあるときには、制限ピン４１は切欠３７１内に収容されるので、光学素子６３は光路Ｌ１上に保持され、切欠３７３と制限ピン４１とが一致する位置にあるときには、制限ピン４１は切欠３７３内に収容されるので、光学素子６１は光路Ｌ１上に保持される。
【００９５】
すなわち、光学素子６１〜６３の１つの光学素子を光路Ｌ１上に保持することができる。
【００９６】
この第４実施形態によれば、例えば１つの光学素子６２だけを頻繁に使用する場合、操作レバー４０を引き出すことで光学素子６２を光路Ｌ１に固定できるので、光学素子の選択の誤りを未然に防ぐことができる。例えば、誤って操作レバー４０を操作して光学素子を切り換えてしまい、そのことに気付かず試料に大きなダメージを与えてしまう等の事態を未然に防止できる。
【００９７】
また、操作レバー４０を引き出せば可動ガイド３０の長手方向の移動が阻止されるので、光学素子６１〜６３の可動ガイド３０への取付作業を容易に行なうことができる。
【００９８】
なお、第２実施形態においても、第４実施形態と同様に光学素子６１〜６３のうち少なくとも１つの光学素子を光路Ｌ１上に保持する切欠を制限プレート１５０に形成することで、第４実施形態と同様の効果を発揮できる。
【００９９】
また、第３実施形態においても、第４実施形態と同様に光学素子２６１〜２６４のうち少なくとも１つの光学素子を光路Ｌ１上に保持する切欠を回転ターレット２３０の周縁部に形成することで、第４実施形態と同様の効果を発揮できる。
【０１００】
図９は第４実施形態に使用されている制限プレートの変形例を示す図である。
【０１０１】
この変形例に係る制限プレートは第１実施形態と第４実施形態を組み合わせた形状をしている。
【０１０２】
制限プレート４５０は上側ハウジング（図示せず）にビス４５１によって固着されている。制限プレート４５０には、３つの光学素子（図示せず）の中心間距離に相当する長手方向の長さを有する、矩形の切欠４５２が形成されるとともに、この切欠４５２の一部に２つの光学素子の中心間の距離に相当する長手方向の長さを有する、矩形の切欠４５３が形成されている。
【０１０３】
更に、３つの光学素子の中心間の間隔と同じ間隔で切欠４７１〜４７３が形成されている。
【０１０４】
上記構成の制限プレート４５０を制限プレート３５０に代えて用いたときの動作を図８を参照して説明する。なお、軸線Ｌ２上には位置４４１ａ，４４１ｂ，４４１ｃに対応して鋼球３９と嵌合する３つの小孔が設けられているものとする。
【０１０５】
操作レバー４０を押し込んで制限ピン４４１を位置４４１ｃとしたとき、可動ガイド部３０を切欠４５２内で移動させることができる。
【０１０６】
したがって、操作つまみ４２を操作することで可動ガイド部３０の何れのＶ溝３４〜３５をも鋼球２４と係合させることができ、３つの光学素子６１〜６３の何れをも光路Ｌ１上に配置することができる。
【０１０７】
このとき、例えば切欠４７３と制限ピン４１とが対向する位置で、操作レバー４０を引き出して制限ピン４１を位置４４１ｂとすることで、制限ピン４１は切欠４７３内に収容され、光学素子６１は光路Ｌ１上に保持される。
【０１０８】
また、制限ピン４１が、切欠４７２に対向する位置と切欠４７１に対向する位置との間にあり、操作レバー４０を引き出して制限ピン４４１を位置４４１ｂとしたとき、可動ガイド部３０を切欠４５３内だけで移動させることができる。
【０１０９】
したがって、操作つまみ４２を操作することで可動ガイド部３０はＶ溝３５又はＶ溝３６で鋼球２４と係合させることができ、２つの光学素子６２，６３を光路Ｌ１上に配置することができる。
【０１１０】
さらに、例えば切欠４７２と制限ピン４１とが対向する位置で、操作レバー４０を引き出して制限ピン４１を位置４４１ａとすることで、制限ピン４１は切欠４７２内に収容され、光学素子６２は光路Ｌ１上に保持される。
【０１１１】
同様に、制限ピン４１を位置４４１ａとして切欠４７１内に収容することにより、光学素子６３は光路Ｌ１上に保持される。
【０１１２】
この変形例によれば、第１実施形態と第４実施形態とがそれぞれ発揮する効果を合わせた効果を発揮できる。
【０１１３】
なお、第２実施形態と第４実施形態とを組み合わせても、第３実施形態と第４実施形態とを組み合わせてもよく、上記変形例の場合と同様に各実施形態が発揮する効果を合わせた効果を発揮できる。
【０１１４】
【発明の効果】
以上に説明したように請求項１に記載の発明の光学素子切換機構によれば、制限機構によって可動ガイド部の移動範囲を制限し、可動ガイド部に取り付けた複数の光学素子の中から必要とする光学素子だけを選択することができるので、必要とする光学素子を素速く、しかも間違いなく選択することができる。操作部を引出すことで可動ガイド部の移動範囲が制限されるので、移動範囲と対応する位置の光学素子だけを光路に挿入できる。
【０１１６】
請求項２に記載の発明の光学素子切換機構によれば、制限機構によって可動ガイド部の移動範囲を制限し、可動ガイド部に取り付けた複数の光学素子の中から必要とする光学素子だけを選択することができるので、必要とする光学素子を素速く、しかも間違いなく選択することができる。操作部を押し込むことで可動ガイド部の移動範囲が制限されるので、移動範囲と対応する位置の光学素子だけを光路に挿入できる。
【０１１７】
請求項３に記載の発明の光学素子切換機構によれば、制限機構によって可動ガイド部の移動範囲を制限し、可動ガイド部に取り付けた複数の光学素子の中から必要とする光学素子だけを選択することができるので、必要とする光学素子を素速く、しかも間違いなく選択することができる。１つの光学素子だけを頻繁に使用するような処理の場合、操作レバーを引き出すことで光学素子を光路上に保持できるので、光学素子の選択の誤りを未然に防ぐことができる。
【０１１８】
請求項４に記載の発明の光学素子切換機構によれば、制限機構によってターレットの回転範囲を制限し、ターレットに取り付けた複数の光学素子の中から必要とする光学素子だけを選択することができるので、必要とする光学素子を素速く、しかも間違いなく選択することができる。操作部を押し込むことで円盤状の可動ガイド部の回転範囲が制限されるので、回転範囲と対応する位置の光学素子だけを光路に挿入できる。
【０１２０】
請求項５に記載の発明の光学素子切換機構によれば、制限機構によってターレットの回転範囲を制限し、ターレットに取り付けた複数の光学素子の中から必要とする光学素子だけを選択することができるので、必要とする光学素子を素速く、しかも間違いなく選択することができる。１つの光学素子だけを頻繁に使用する場合、操作部を押し込むことで光学素子を光路上に保持できるので、光学素子の選択の誤りを未然に防ぐことができる。
【図面の簡単な説明】
【図１】図１はこの発明の第１実施形態に係る光学素子切換機構の横断面図である。
【図２】図２は図１のII−II矢視断面図である。
【図３】図３はこの発明の第２実施形態に係る光学素子切換機構の横断面図である。
【図４】図４は図３のIV−IV矢視断面図である。
【図５】図５はこの発明の第３実施形態に係る光学素子切換機構の横断面図である。
【図６】図６は図５のVI−VI矢視断面図である。
【図７】図７はこの発明の第４実施形態に係る光学素子切換機構の横断面図である。
【図８】図８は図７のVIII−VIII矢視断面図である。
【図９】図９は制限プレートの変形例を示す図である。
【符号の説明】
１０  ハウジング
２０  固定ガイド部
３０，１３０  可動ガイド部
４０  操作レバー（操作部）
４１  制限ピン
５０，１５０，３５０，４５０  制限プレート（制限部材）
５３，１５３，２３８，２３９  切欠
６１〜６３，２６１〜２６４  光学素子
２３０  回転ターレット（ターレット）
【図１】
0003861363.tif 000002
【図２】
0003861363.tif 000003
【図３】
0003861363.tif 000004
【図４】
0003861363.tif 000005
【図５】
0003861363.tif 000006
【図６】
0003861363.tif 000007
【図７】
0003861363.tif 000008
【図８】
0003861363.tif 000009
【図９】
0003861363.tif 000010